(57)【要約】【課題】外部ノイズの影響を受け難く、不要輻射を放射し難い分配器を提供する。【解決手段】この地上波ＴＶ放送用分配器１では、増幅回路７の電源電圧ＶＣＣをＲＦ出力端子４を介して外部から与え、増幅回路７によって高周波信号を増幅するか否かを切換えるスイッチ５，６を制御するための制御信号φＣをＲＦ出力端子３を介して外部から与える。したがって、電源電圧入力端子５４と制御信号入力端子７５が筐体７０外に突出していた従来に比べ、外部ノイズの影響を受け難くなり、不要輻射の放射が抑制される。【選択図】図１
2009105648.tif 000002
【特許請求の範囲】
【請求項１】
アンテナから入力端子を介して与えられる高周波信号を増幅する増幅回路と、前記増幅回路の出力信号を複数の出力端子に分配する分配回路とを備えた分配器において、
前記増幅回路の電源電圧および前記増幅回路の利得を制御するための制御信号は、前記複数の出力端子のうちの１または２以上の出力端子を介して外部から与えられることを特徴とする、分配器。
【請求項２】
前記電源電圧は、前記複数の出力端子のうちの１つの出力端子を介して与えられ、
前記制御信号は、複数の電圧レベルのうちのいずれかのレベルに設定される制御電圧であり、前記電源電圧が与えられる出力端子とは別の出力端子を介して与えられることを特徴とする、請求項１に記載の分配器。
【請求項３】
前記電源電圧は、前記複数の出力端子のうちの１つの出力端子を介して与えられ、
前記制御信号は、パルス信号列であり、前記電源電圧が与えられる出力端子と同じ出力端子を介して前記電源電圧に重畳して与えられることを特徴とする、請求項１に記載の分配器。
【請求項４】
アンテナのＬＮＢから入力端子を介して与えられた中間周波信号を増幅する増幅回路と、前記増幅回路の出力信号を複数の出力端子に分配する分配回路とを備えた分配器において、
前記ＬＮＢおよび前記増幅回路の電源電圧は、前記複数の出力端子のうちの１または２以上の出力端子を介して外部から与えられることを特徴とする、分配器。
【請求項５】
前記ＬＮＢは第１の電源電圧によって駆動され、
前記増幅回路は、前記第１の電源電圧と異なる第２の電源電圧によって駆動され、
前記第１の電源電圧は、前記複数の出力端子のうちの１つの出力端子と前記入力端子を介して外部から前記ＬＮＢに与えられ、
前記第２の電源電圧は、前記複数の出力端子のうちの他の出力端子を介して外部から前記増幅回路に与えられることを特徴とする、請求項４に記載の分配器。
【請求項６】
前記ＬＮＢは第１の電源電圧によって駆動され、
前記増幅回路は、前記第１の電源電圧よりも低い第２の電源電圧によって駆動され、
前記第１の電源電圧は、前記複数の出力端子のうちの１つの出力端子と前記入力端子を介して外部から前記ＬＮＢに与えられ、
さらに、前記第１の電源電圧を降圧して前記第２の電源電圧を生成する降圧回路を備えることを特徴とする、請求項４に記載の分配器。
【請求項７】
前記増幅回路の利得はパルス信号列によって制御され、
前記パルス信号列は、前記第１の電源電圧が与えられる出力端子と同じ出力端子を介して前記第１の電源電圧に重畳して与えられることを特徴とする、請求項６に記載の分配器。
【請求項８】
請求項１から請求項７までのいずれかの分配器を備えたことを特徴とする、ＴＶ放送受信機。
【請求項９】
請求項１から請求項３までのいずれかの分配器を備えたことを特徴とする、地上波ＴＶ放送受信機。
【請求項１０】
請求項４から請求項７までのいずれかの分配器を備えたことを特徴とする、衛星ＴＶ放送受信機。
【請求項１１】
請求項１から請求項３までのいずれかの分配器と、請求項４から請求項７までのいずれかの分配器とを備えたことを特徴とする、地上波ＴＶおよび衛星ＴＶ放送受信機。
【発明の詳細な説明】
【技術分野】
【０００１】
この発明は分配器とそれを用いたＴＶ放送受信機に関し、特に、アンテナまたはＬＮＢから入力端子を介して与えられる信号を増幅する増幅回路と、増幅回路の出力信号を複数の出力端子に分配する分配回路とを備えた分配器と、それを用いたＴＶ放送受信機、地上波ＴＶ放送受信機、衛星ＴＶ放送受信機、および地上波ＴＶおよび衛星ＴＶ放送受信機に関する。
【背景技術】
【０００２】
図１１は、従来の地上波ＴＶ放送用分配器の構成を示す回路ブロック図である。図１１において、この地上波ＴＶ放送用分配器では、筐体７０の外部に、ＲＦ入力端子７１、複数（図では２つ）のＲＦ出力端子７２，７３、電源電圧入力端子７４、および制御信号入力端子７５が設けられ、筐体７０の内部に、スイッチ７６，７７、増幅回路７８、分配回路７９、およびコンデンサ８０，８１が設けられる。
【０００３】
ＲＦ入力端子７１は、７５Ωの同軸ケーブルを介してアンテナに接続される。ＲＦ出力端子７２，７３の各々は、地上波ＴＶ放送受信機に接続される。電源電圧入力端子７４には、増幅回路７８を駆動するための電源電圧ＶＣＣが与えられる。制御信号入力端子７５には、スイッチ７６，７７を切換制御するための制御信号φＣが入力される。
【０００４】
地上波ＴＶ放送局から送信された高周波信号（電波）は、アンテナで受信されてＲＦ入力端子７１に与えられ、分配器によって複数の地上波ＴＶ放送受信機に分配される。地上波ＴＶ放送受信機において高周波信号のレベルが低い場合は、制御信号φＣがたとえば「Ｌ」レベルにされる。これにより、スイッチ７６の端子７６ｂ，７６ｃ間が導通するとともに、スイッチ７７の端子７７ｂ，７７ｃ間が導通し、アンテナによって受信された高周波信号は、増幅回路７８で増幅された後に分配回路７９によって複数の地上波ＴＶ放送受信機に分配される。
【０００５】
地上波ＴＶ放送受信機において高周波信号のレベルが高い場合は、制御信号φＣがたとえば「Ｈ」レベルにされる。これにより、スイッチ７６の端子７６ａ，７６ｃ間が導通するとともに、スイッチ７７の端子７７ａ，７７ｃ間が導通し、アンテナによって受信された高周波信号は、増幅回路７８で増幅されずに分配回路７９によって複数の地上波ＴＶ放送受信機に分配される。
【０００６】
また、衛星ＴＶ放送用分配器は、アンテナで受信されてＬＮＢ（Low Noise Block Down Converter）で周波数変換された信号を複数の衛星ＴＶ放送受信機に分配する（たとえば、特許文献１参照）。
【特許文献１】特開平９−８５８６号公報
【発明の開示】
【発明が解決しようとする課題】
【０００７】
しかし、従来の分配器では、電源電圧入力端子７４および制御信号入力端子７５が筐体７０の外部に突出していたので、外部ノイズが端子７４，７５を介して筐体７０内に入射し、受信性能が劣化するという問題があった。また、端子７４，７５を介して不要輻射が外部に放射されるという問題があった。
【０００８】
それゆえに、この発明の主たる目的は、外部ノイズの影響を受け難く、不要輻射を放射し難い分配器と、それを用いたＴＶ放送受信機、地上波ＴＶ放送受信機、衛星ＴＶ放送受信機、および地上波ＴＶおよび衛星ＴＶ放送受信機を提供することである。
【課題を解決するための手段】
【０００９】
この発明に係る分配器は、アンテナから入力端子を介して与えられる高周波信号を増幅する増幅回路と、増幅回路の出力信号を複数の出力端子に分配する分配回路とを備えた分配器において、増幅回路の電源電圧および増幅回路の利得を制御するための制御信号は、複数の出力端子のうちの１または２以上の出力端子を介して外部から与えられることを特徴とする。
【００１０】
好ましくは、電源電圧は、複数の出力端子のうちの１つの出力端子を介して与えられ、制御信号は、複数の電圧レベルのうちのいずれかのレベルに設定される制御電圧であり、電源電圧が与えられる出力端子とは別の出力端子を介して与えられる。
【００１１】
また好ましくは、電源電圧は、複数の出力端子のうちの１つの出力端子を介して与えられ、制御信号は、パルス信号列であり、電源電圧が与えられる出力端子と同じ出力端子を介して電源電圧に重畳して与えられる。
【００１２】
また、この発明に係る他の分配器は、アンテナのＬＮＢから入力端子を介して与えられた中間周波信号を増幅する増幅回路と、増幅回路の出力信号を複数の出力端子に分配する分配回路とを備えた分配器において、ＬＮＢおよび増幅回路の電源電圧は、複数の出力端子のうちの１または２以上の出力端子を介して外部から与えられることを特徴とする。
【００１３】
好ましくは、ＬＮＢは第１の電源電圧によって駆動され、増幅回路は、第１の電源電圧と異なる第２の電源電圧によって駆動される。第１の電源電圧は、複数の出力端子のうちの１つの出力端子と入力端子を介して外部からＬＮＢに与えられ、第２の電源電圧は、複数の出力端子のうちの他の出力端子を介して外部から増幅回路に与えられる。
【００１４】
また好ましくは、ＬＮＢは第１の電源電圧によって駆動され、増幅回路は、第１の電源電圧よりも低い第２の電源電圧によって駆動される。第１の電源電圧は、複数の出力端子のうちの１つの出力端子と入力端子を介して外部からＬＮＢに与えられ、さらに、第１の電源電圧を降圧して第２の電源電圧を生成する降圧回路を備える。
【００１５】
また好ましくは、増幅回路の利得はパルス信号列によって制御され、パルス信号列は、第１の電源電圧が与えられる出力端子と同じ出力端子を介して第１の電源電圧に重畳して与えられる。
【００１６】
また、この発明に係るＴＶ放送受信機は、上記分配器または上記他の分配器を備えたことを特徴とする。
【００１７】
また、この発明に係る地上波ＴＶ放送受信機は、上記分配器を備えたことを特徴とする。
【００１８】
また、この発明に係る衛星ＴＶ放送受信機は、上記他の分配器を備えたことを特徴とする。
【００１９】
また、この発明に係る地上波ＴＶおよび衛星ＴＶ放送受信機は、上記分配器と、上記他の分配器とを備えたことを特徴とする。
【発明の効果】
【００２０】
この発明に係る分配器では、増幅回路の電源電圧と増幅回路の利得を制御するための制御信号は、複数の出力端子のうちの１または２以上の出力端子を介して外部から与えられる。したがって、増幅回路用の電源電圧を入力するための入力端子と制御信号を入力するための入力端子が無いので、それらが筐体外に突出していた従来に比べ、外部ノイズの影響を受け難くなり、不要輻射の放射が抑制される。
【００２１】
また、この発明に係る他の分配器では、ＬＮＢおよび増幅回路の電源電圧は、複数の出力端子のうちの１または２以上の出力端子を介して外部から与えられる。したがって、増幅回路用の電源電圧を入力するための入力端子が無いので、それが筐体外に突出していた従来に比べ、外部ノイズの影響を受け難くなり、不要輻射の放射が抑制される。
【発明を実施するための最良の形態】
【００２２】
[実施の形態１]
図１は、この発明の実施の形態１による地上波ＴＶ放送用分配器の構成を示す回路ブロック図である。図１において、この地上波ＴＶ放送用分配器では、筐体１の外部に、ＲＦ入力端子２と複数（図では２つ）のＲＦ出力端子３，４が設けられ、筐体１の内部に、スイッチ５，６、増幅回路７、分配回路８、およびコンデンサ９，１０が設けられる。
【００２３】
ＲＦ入力端子２は、７５Ωの同軸ケーブルを介してアンテナに接続されるとともに、スイッチ５の共通端子５ｃに接続される。スイッチ５の一方切換端子５ａはスイッチ６の一方切換端子６ａに接続され、スイッチ５の他方切換端子５ｂは増幅回路７を介してスイッチ６の他方切換端子６ｂに接続される。スイッチ６の共通端子６ｃは分配回路８の入力ノード８ｃに接続され、分配回路８の一方出力ノード８ａはコンデンサ９を介してＲＦ出力端子３に接続され、分配回路８の他方出力ノード８ｂはコンデンサ１０を介してＲＦ出力端子４に接続される。分配回路８としては、たとえば、減衰量が少なく、アイソレーション特性の良いＹ分配回路が使用される。ＲＦ出力端子３，４の各々は、地上波ＴＶ放送受信機に接続される。
【００２４】
増幅回路７を駆動するための電源電圧ＶＣＣは、地上波ＴＶ放送受信機からＲＦ出力端子４を介して増幅回路７に与えられる。スイッチ５，６を切換制御するための制御信号φＣは、もう１つの地上波ＴＶ放送受信機からもう１つのＲＦ出力端子３を介してスイッチ５，６に与えられる。制御信号φＣは、「Ｈ」レベル（電源電圧ＶＣＣ）および「Ｌ」レベル（接地電圧ＧＮＤ）のうちのいずれか一方のレベルにされる電圧信号である。
【００２５】
次に、この地上波ＴＶ放送用分配器の動作について説明する。地上波ＴＶ放送局から送信された高周波信号（電波）は、アンテナで受信されてＲＦ入力端子２に与えられ、分配器によって複数の地上波ＴＶ放送受信機に分配される。地上波ＴＶ放送受信機において高周波信号のレベルが低い場合は、制御信号φＣが「Ｌ」レベルにされる。これにより、スイッチ５の端子５ｂ，５ｃ間が導通するとともに、スイッチ６の端子６ｂ，６ｃ間が導通し、アンテナによって受信された高周波信号は、増幅回路７で増幅された後に分配回路８によって複数の地上波ＴＶ放送受信機に分配される。
【００２６】
地上波ＴＶ放送受信機において高周波信号のレベルが高い場合は、制御信号φＣが「Ｈ」レベルにされる。これにより、スイッチ５の端子５ａ，５ｃ間が導通するとともに、スイッチ６の端子６ａ，６ｃ間が導通し、アンテナによって受信された高周波信号は、増幅回路７で増幅されずに分配回路８によって複数の地上波ＴＶ放送受信機に分配される。
【００２７】
図２は、スイッチ５，６の具体的構成を示す図である。図２において、スイッチ５，６は、抵抗素子１１〜１７、ダイオード１８〜２１、およびコンデンサ２２，２３を含む。抵抗素子１１，１２は、ＲＦ出力端子４と接地電圧ＧＮＤのラインとの間に直列接続され、それらの間のノードＮ１１は増幅回路７の入力ノードに接続される。抵抗素子１３，１４は、ＲＦ出力端子４と接地電圧ＧＮＤのラインとの間に直列接続され、それらの間のノードＮ１３は増幅回路７の出力ノードに接続される。
【００２８】
ダイオード１８のアノードはノードＮ１１に接続され、そのカソードはコンデンサ２２を介してＲＦ入力端子２に接続されるとともに、抵抗素子１５を介して接地される。ダイオード１９のアノードはノードＮ１３に接続され、そのカソードはコンデンサ２３を介して分配回路８の入力ノード８ｃに接続されるとともに、抵抗素子１６を介して接地される。ダイオード２０，２１のカソードはそれぞれダイオード１８，１９のカソードに接続され、ダイオード２０，２１のアノードは抵抗素子１７を介してＲＦ出力端子３に接続される。
【００２９】
制御信号φＣが「Ｌ」レベルの場合は、ダイオード１８，１９が導通するとともにダイオード２０，２１が非導通になる。これにより、ＲＦ入力端子２からの高周波信号は、コンデンサ２２およびダイオード１８を介して増幅回路７に入力され、増幅される。増幅回路７の出力信号は、ダイオード１９およびコンデンサ２３を介して分配回路８の入力ノード８ｃに与えられる。
【００３０】
制御信号φＣが「Ｈ」レベルの場合は、ダイオード２０，２１が導通するとともにダイオード１８，１９が非導通になる。これにより、ＲＦ入力端子２からの高周波信号は、増幅回路７で増幅されず、コンデンサ２２、ダイオード２０，２１、およびコンデンサ２３を介して分配回路８の入力ノード８ｃに与えられる。
【００３１】
この実施の形態１では、増幅回路７の電源電圧ＶＣＣはＲＦ出力端子４を介して地上波ＴＶ放送受信機から与えられ、増幅回路７によって高周波信号を増幅するか否かを切換えるスイッチ５，６を制御するための制御信号φＣはＲＦ出力端子３を介して地上波ＴＶ放送受信機から与えられる。したがって、電源電圧入力端子７４および制御信号入力端子７５が無いので、それらが筐体７０の外部に突出していた従来に比べ、外部ノイズの影響を受け難くなり、不要輻射の放射が抑制される。また、それらの端子７４，７５に配線を接続する必要が無いので、作業性が良くなる。
【００３２】
図３は、実施の形態１の変更例を示す回路ブロック図であって、図１と対比される図である。図３において、この変更例が図１の地上波ＴＶ放送用分配器と異なる点は、ＲＦ出力端子３を介して制御信号φ１を入力する代わりに、制御信号φ１を内部で発生する積分回路２５を設けた点である。積分回路２５は、地上波ＴＶ放送受信機からＲＦ出力端子４を介して与えられるパルス信号列φＰを積分して制御信号φＣを生成する。パルス信号列φＰは、増幅回路７の電源電圧ＶＣＣに重畳して入力される。
【００３３】
この変更例では、実施の形態１と同じ効果が得られる他、１つのＲＦ出力端子４を介して増幅回路７の電源電圧ＶＣＣを与えるとともにスイッチ５，６を制御することができる。
【００３４】
[実施の形態２]
図４は、この発明の実施の形態２による衛星ＴＶ放送用分配器の構成を示す回路ブロック図である。図４において、この衛星ＴＶ放送用分配器では、筐体３０の外部に、ＩＦ入力端子３１と複数（図では２つ）のＩＦ出力端子３２，３３が設けられ、筐体３０の内部に、増幅回路３４、分配回路３５、およびコンデンサ３６，３７が設けられる。
【００３５】
ＩＦ入力端子３１は、７５Ωの同軸ケーブルを介してアンテナのＬＮＢに接続されるとともに、増幅回路３４を介して分配回路３５の入力ノード３５ｃに接続される。分配回路３５の一方出力ノード３５ａはコンデンサ３６を介してＩＦ出力端子３２に接続され、分配回路３５の他方出力ノード３５ｂはコンデンサ３７を介してＩＦ出力端子３３に接続される。分配回路３５としては、たとえば、減衰量が少なく、アイソレーション特性の良いＹ分配回路が使用される。ＩＦ出力端子３２，３３の各々は、衛星ＴＶ放送受信機に接続される。
【００３６】
ＬＮＢを駆動するための電源電圧ＶＣＣ１（たとえば１２Ｖ）は、衛星ＴＶ放送受信機からＩＦ出力端子３２およびＩＦ入力端子３１を介してＬＮＢに与えられる。増幅回路７を駆動するための電源電圧ＶＣＣ２（たとえば３．３Ｖ）は、もう１つの衛星ＴＶ放送受信機からもう１つのＩＦ出力端子３３を介して増幅回路３４に与えられる。電源電圧ＶＣＣ２は、電源電圧ＶＣＣ１よりも低い。衛星ＴＶ放送局から送信された高周波信号（電波）は、アンテナで受信され、ＬＮＢによって中間周波信号に変換される。中間周波信号は、ＩＦ入力端子３１に与えられ、増幅回路３４によって増幅され、分配回路３５によって複数の衛星ＴＶ放送受信機に分配される。
【００３７】
なお、衛星ＴＶ放送では、地上波ＴＶ放送に比べ、地域などによる電波の強度差が小さいので、増幅回路３４の利得の切換スイッチは設けられていない。
【００３８】
この実施の形態２では、ＬＮＢの電源電圧ＶＣＣ１はＩＦ出力端子３２を介して衛星ＴＶ放送受信機から与えられ、増幅回路３４の電源電圧ＶＣＣ２はＩＦ出力端子３３を介して衛星ＴＶ放送受信機から与えられる。したがって、電源電圧入力端子７４が無いので、それが筐体７０の外部に突出していた従来に比べ、外部ノイズの影響を受け難くなり、不要輻射の放射が抑制される。また、電源電圧入力端子７４に配線を接続する必要が無いので、作業性が良くなる。
【００３９】
図５は、実施の形態２の変更例を示す回路ブロック図であって、図４と対比される図である。図５において、この変更例が図４の衛星ＴＶ放送用分配器と異なる点は、ＲＦ出力端子３３を介してＬＮＢ用の電源電圧ＶＣＣ１を入力し、降圧回路３７で電源電圧ＶＣＣ１を降圧して増幅回路３４の電源電圧ＶＣＣ２を生成する点である。この変更例では、実施の形態２と同じ効果が得られる他、１つのＩＦ出力端子３３を介してＬＮＢおよび増幅回路３４を駆動させることができる。
【００４０】
図６は、実施の形態２の他の変更例を示す回路ブロック図であって、図５と対比される図である。図６において、この変更例が図５の衛星ＴＶ放送用分配器と異なる点は、図３で示したスイッチ５，６および積分回路２５が追加されている点である。ＩＦ入力端子３１はスイッチ５の共通端子５ｃに接続され、スイッチ５の一方切換端子５ａはスイッチ６の一方切換端子６ａに接続され、スイッチ５の他方切換端子５ｂは増幅回路７を介してスイッチ６の他方切換端子６ｂに接続される。スイッチ６の共通端子６ｃは分配回路８の入力ノード８ｃに接続される。
【００４１】
積分回路２５は、衛星ＴＶ放送受信機からＩＦ出力端子３３を介して与えられるパルス信号列φＰを積分して制御信号φＣを生成する。パルス信号列φＰは、ＬＮＢの電源電圧ＶＣＣ１に重畳して入力される。スイッチ５，６の動作は、実施の形態１と同様であるので、その説明は繰り返さない。この変更例では、実施の形態２と同じ効果が得られる他、１つのＩＦ出力端子３３を介してＬＮＢおよび増幅回路３４を駆動させることができ、さらに増幅回路３４の利得を制御することができる。
【００４２】
[実施の形態３]
図７は、この発明の実施の形態３によるＴＶ放送受信機の構成を示すブロック図である。図７において、このＴＶ放送受信機では、筐体４０の外部に、入力端子４１と複数（図では２つ）の出力端子４２，４３が設けられ、筐体４０の内部に、分配器４４と複数（図では２つ）の復調回路４５，４６が設けられる。分配器４４としては、図１〜図６で示した５つの分配器のうちのいずれかが使用される。分配器４４内の増幅回路の電源電圧ＶＣＣなどは復調回路４５，４６から供給される。図１〜図３で示した２つの地上波ＴＶ放送用分配器のうちのいずれかを分配器４４として使用した場合は、このＴＶ放送受信機は地上波ＴＶ放送受信機となる。図４〜図６で示した３つの衛星ＴＶ放送用分配器のうちのいずれかを分配器４４として使用した場合は、このＴＶ放送受信機は衛星ＴＶ放送受信機となる。
【００４３】
入力端子４１に与えられた受信信号は分配器４４によって２つの復調回路４５，４６に分配される。復調回路４５，４６の各々は、入力された受信信号に対し、帯域制限、利得調整、周波数変換、誤り訂正を施してＴＳ信号を生成する。復調回路４５，４６の出力信号はそれぞれ出力端子４２，４３に出力され、出力端子４２，４３の各々にはＴＶが接続される。
【００４４】
この実施の形態３では、実施の形態１，２の分配器を使用するので、実施の形態１，２と同じ効果が得られる。
【００４５】
図８は、この実施の形態３の変更例を示すブロック図であって、図７と対比される図である。図８において、このＴＶ放送受信機が図７のＴＶ放送受信機と異なる点は、復調回路４６が除去され、分配器４４の１つの出力信号がそのまま出力端子４３に出力される点である。出力端子４３には、たとえば、他のＴＶ放送受信機の入力端子４１が接続される。この場合は、受信信号を複数のＴＶ放送受信機に分配することができる。
【００４６】
[実施の形態４]
図９は、この発明の実施の形態４による地上波ＴＶおよび衛星ＴＶ放送受信機の構成を示すブロック図である。図９において、この地上波ＴＶおよび衛星ＴＶ放送受信機では、筐体５０の外部に、２つの入力端子５１，５２と複数（図では４つ）の出力端子５３〜５６が設けられ、筐体５０の内部に、地上波ＴＶ放送用分配器５７と衛星ＴＶ放送用分配器５８と複数（図では４つ）の復調回路５９〜６２が設けられる。地上波ＴＶ放送用分配器５７としては、図１〜図３で示した２つの分配器のうちのいずれかが使用される。衛星ＴＶ放送用分配器５８としては、図４〜図６で示した３つの分配器のうちのいずれかが使用される。
【００４７】
アンテナで受信されて入力端子５１に与えられた高周波信号は分配器５７によって２つの復調回路５９，６０に分配される。復調回路５９，６０の各々は、入力された高周波信号に対し、帯域制限、利得調整、周波数変換、誤り訂正を施してＴＳ信号を生成する。復調回路５９，６０の出力信号はそれぞれ出力端子５３，５４に出力され、出力端子５３，５４の各々にはＴＶが接続される。
【００４８】
また、ＬＮＢから入力端子５２に与えられた中間周波信号は分配器５８によって２つの復調回路６１，６２に分配される。復調回路６１，６２の各々は、入力された中間周波信号に対し、帯域制限、利得調整、周波数変換、誤り訂正を施してＴＳ信号を生成する。復調回路５９，６０の出力信号はそれぞれ出力端子５５，５６に出力され、出力端子５５，５６の各々にはＴＶが接続される。
【００４９】
この実施の形態４では、実施の形態１，２の分配器を使用するので、実施の形態１，２と同じ効果が得られる。
【００５０】
図１０は、この実施の形態４の変更例を示すブロック図であって、図９と対比される図である。図１０において、この地上波ＴＶおよび衛星ＴＶ放送受信機が図９の地上波ＴＶおよび衛星ＴＶ放送受信機と異なる点は、復調回路６０，６２が除去され、分配器５７，５８の２つの出力信号がそのまま出力端子５４，５６に出力される点である。出力端子５４，５６には、たとえば、他の地上波ＴＶおよび衛星ＴＶ放送受信機の入力端子５１，５２が接続される。この場合は、受信信号を複数の地上波ＴＶおよび衛星ＴＶ放送受信機に分配することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】この発明の実施の形態１による地上波ＴＶ放送用分配器の構成を示す回路ブロック図である。
【図２】図１に示したスイッチの構成を示す回路図である。
【図３】実施の形態１の変更例を示す回路ブロック図である。
【図４】この発明の実施の形態２による衛星ＴＶ放送用分配器の構成を示す回路ブロック図である。
【図５】実施の形態２の変更例を示す回路ブロック図である。
【図６】実施の形態２の他の変更例を示す回路ブロック図である。
【図７】この発明の実施の形態３によるＴＶ放送受信機の構成を示すブロック図である。
【図８】実施の形態３の変更例を示すブロック図である。
【図９】この発明の実施の形態４による地上波ＴＶおよび衛星ＴＶ放送受信機の構成を示すブロック図である。
【図１０】実施の形態４の変更例を示すブロック図である。
【図１１】従来の地上波ＴＶ放送用分配器の構成を示す回路ブロック図である。
【符号の説明】
【００５３】
１，３０，４０，５０，７０  筐体、２，３１，４１，５１，５２，７１，７４，７５  入力端子、３，４，３２，３３，４２，４３，５３〜５６，７２，７３  出力端子、５，６，７６，７７  スイッチ、７，３４，７８  増幅回路、８，３５，７９  分配回路、９，１０，２２，２３，３６，３７，８１，８２  コンデンサ、１１〜１７  抵抗素子、１８〜２１  ダイオード、２５  積分回路、３７  降圧回路、４４，５７，５８  分配器、４５，４６，５９〜６２  復調回路。
【図１】
2009105648.tif 000003
【図２】
2009105648.tif 000004
【図３】
2009105648.tif 000005
【図４】
2009105648.tif 000006
【図５】
2009105648.tif 000007
【図６】
2009105648.tif 000008
【図７】
2009105648.tif 000009
【図８】
2009105648.tif 000010
【図９】
2009105648.tif 000011
【図１０】
2009105648.tif 000012
【図１１】
2009105648.tif 000013